(57)【要約】      （修正有）【課題】収穫作業時には縦向き搬送装置の横側を良好に覆うようにしながら、穀粒タンクや縦向き搬送装置等のメンテナンス作業を行い易くするコンバインを提供する。【解決手段】穀粒を貯留する穀粒タンク７と、穀粒タンク７の後側に位置して穀粒タンク７に貯留されている穀粒を上方に搬送する縦向き搬送装置と、穀粒タンク７の側壁３１の後部に連なる状態で設けられ、且つ、縦向き搬送装置の横側を覆う後部カバー９７とが備えられ、後部カバー９７は、側壁３１に対して、縦向き搬送装置の横側方を覆う閉状態と、縦向き搬送装置の横側方を開放する開状態とにわたり、縦向き軸芯Ｙ２周りで揺動可能に構成され、後部カバー９７を閉状態でロックするロック機構１０１が備えられている。【選択図】図９
2020000075.tif 000002
【特許請求の範囲】
【請求項１】
穀粒を貯留する穀粒タンクと、
前記穀粒タンクの後側に位置して前記穀粒タンクに貯留されている穀粒を上方に搬送する縦向き搬送装置と、
前記穀粒タンクの側壁の後部に連なる状態で設けられ、且つ、前記縦向き搬送装置の横側を覆う後部カバーとが備えられ、
前記後部カバーは、前記側壁に対して、前記縦向き搬送装置の横側方を覆う閉状態と、前記縦向き搬送装置の横側方を開放する開状態とにわたり、縦向き軸芯周りで揺動可能に構成され、
前記後部カバーを前記閉状態でロックするロック機構が備えられているコンバイン。
【請求項２】
前記ロック機構は、前記後部カバーの前記閉状態への揺動操作に基づいて自動的にロック状態に切り換わる請求項１に記載のコンバイン。
【請求項３】
前記ロック機構に、前記後部カバー及び前記側壁のうちの一方に設けられた弾性係止部材と、前記後部カバー及び前記側壁のうちの他方に設けられた被係止部とが備えられ、
前記後部カバーが前記開状態から前記閉状態へ揺動するに伴って、前記弾性係止部材が弾性変形しながら前記被係止部を乗り越えて前記被係止部に係止することで、前記ロック機構は前記ロック状態に切り換わる請求項２に記載のコンバイン。
【請求項４】
前記後部カバーに、前記側壁の後端に連なり且つ前後方向に沿って延びる横側カバー部と、前記横側カバー部の後端に連なり且つ左右方向に沿って延びる後側カバー部とが備えられ、
前記横側カバー部の前端が前記縦向き軸芯周りで揺動可能に前記側壁に枢支連結されている請求項１から３のいずれか１項に記載のコンバイン。
【請求項５】
前記閉状態の前記後部カバーの上下方向の位置を保持する上下位置保持機構が備えられている請求項１から４のいずれか１項に記載のコンバイン。
【請求項６】
前記上下位置保持機構に、前記後部カバー及び前記側壁のうちの一方に形成され、且つ、水平方向に沿って延びる長孔と、前記後部カバー及び前記側壁のうちの他方に位置するとともに前記長孔を挿通するピンとが備えられ、
前記後部カバーの前記開状態から前記閉状態への揺動操作に伴って、前記ピンが前記長孔に挿通する状態に切り換わる請求項５に記載のコンバイン。
【発明の詳細な説明】
【技術分野】
【０００１】
本発明は、穀粒を貯留する穀粒タンクと、前記穀粒タンクの後側に位置して前記穀粒タンクに貯留されている穀粒を上方に搬送する縦向き搬送装置とを備えているコンバインに関する。
【背景技術】
【０００２】
従来では、穀粒タンクの側壁の後部に連なる状態で、縦向き搬送装置の横側を覆う後部カバーが備えられており、この後部カバーは、位置固定状態で備えられていた（例えば、特許文献１参照）。
【先行技術文献】
【特許文献】
【０００３】
【特許文献１】特開２０１７−１８４７６８号公報
【発明の概要】
【発明が解決しようとする課題】
【０００４】
上記従来構成では、後部カバーが位置固定状態で備えられているので、例えば、縦向き搬送装置についての清掃や点検等の作業を行う場合、あるいは、穀粒タンクを横側外方に揺動開放させて、機体内部の点検等を行う場合において、そのようなメンテナンス作業が行い難くなるという不利な面があった。
【０００５】
そこで、収穫作業時には縦向き搬送装置の横側を良好に覆うようにしながら、穀粒タンクや縦向き搬送装置等のメンテナンス作業を行い易くすることが望まれていた。
【課題を解決するための手段】
【０００６】
本発明に係るコンバインの特徴構成は、穀粒を貯留する穀粒タンクと、前記穀粒タンクの後側に位置して前記穀粒タンクに貯留されている穀粒を上方に搬送する縦向き搬送装置と、前記穀粒タンクの側壁の後部に連なる状態で設けられ、且つ、前記縦向き搬送装置の横側を覆う後部カバーとが備えられ、前記後部カバーは、前記側壁に対して、前記縦向き搬送装置の横側方を覆う閉状態と、前記縦向き搬送装置の横側方を開放する開状態とにわたり、縦向き軸芯周りで揺動可能に構成され、前記後部カバーを前記閉状態でロックするロック機構が備えられている点にある。
【０００７】
本発明によれば、収穫作業時においては、後部カバーを閉状態に切り換えてロック機構によりロックしておくことにより、後部カバーは穀粒タンクの側壁の後部に連なり、縦向き搬送装置を覆う状態で位置固定される。その結果、機体の振動等に起因して後部カバーが誤って開状態になる等のおそれがなく、収穫作業を良好に行うことができる。そして、例えば、縦向き搬送装置についての清掃や点検等のメンテナンス作業を行う場合においては、後部カバーを開状態に切り換えることにより、縦向き搬送装置の横側方が開放され、作業を良好に行うことができる。又、穀粒タンクを横側外方に揺動開放させて機体内側の点検等のメンテナンス作業を行う場合には、先ず、後部カバーを開状態に切り換えた状態で穀粒タンクを揺動させることにより、穀粒タンクを揺動させる際に、後部カバーが縦向き搬送装置に干渉したり、穀粒タンクの揺動を阻害したりすることを回避して、作業を良好に行うことができる。
【０００８】
従って、収穫作業時には縦向き搬送装置の横側を良好に覆うようにしながら、穀粒タンクや縦向き搬送装置等のメンテナンス作業を行い易くすることが可能となった。
【０００９】
本発明においては、前記ロック機構は、前記後部カバーを前記閉状態への揺動操作に基づいて自動的にロック状態に切り換わると好適である。
【００１０】
本構成によれば、後部カバーを開状態から閉状態に向けて揺動させると、自動でロック状態に切り換わるので、作業者が後部カバーをロックし忘れる等の不利がなく、後部カバーを閉状態で確実に位置保持することができる。
【００１１】
本発明においては、前記ロック機構に、前記後部カバー及び前記側壁のうちの一方に設けられた弾性係止部材と、前記後部カバー及び前記側壁のうちの他方に設けられた被係止部とが備えられ、前記後部カバーが前記開状態から前記閉状態へ揺動するに伴って、前記弾性係止部材が弾性変形しながら前記被係止部を乗り越えて前記被係止部に係止することで、前記ロック機構は前記ロック状態に切り換わると好適である。
【００１２】
本構成によれば、後部カバーが開状態から閉状態に向けて揺動すると、弾性係止部材が被係止部を乗り越えるように弾性変形しながら移動する。弾性係止部材が被係止部を乗り越えると、弾性係止部材が被係止部に係止して元の方向に戻ることが規制され、その位置でロックされた状態となる。尚、弾性係止部材に対して、弾性変形する程度の戻し力が作用すると、弾性係止部材は被係止部を乗り越えて元の方向に移動してロックを解除することができる。
【００１３】
従って、ロック機構は、弾性変形部材とそれが乗り越えることを許容する程度の簡素な構成の被係止部とを備える構成であり、簡素な構成の低コストのもので対応できる。
【００１４】
本発明においては、前記後部カバーに、前記側壁の後端に連なり且つ前後方向に沿って延びる横側カバー部と、前記横側カバー部の後端に連なり且つ左右方向に沿って延びる後側カバー部とが備えられ、前記横側カバー部の前端が前記縦向き軸芯周りで揺動可能に前記側壁に枢支連結されていると好適である。
【００１５】
本構成によれば、後部カバーは、横側カバー部によって縦向き搬送装置の横側方を覆うようにしながら、その横側カバー部の後端に連なる後側カバー部によって縦向き搬送装置の後側方を覆うことができ、縦向き搬送装置の外方に向かう領域を良好に覆うことができる。
【００１６】
横側カバー部の前端が穀粒タンクの側壁に枢支連結されるので、穀粒タンクの姿勢を変更することなく後部カバーだけを回動させることができ、そのとき、横側カバー部と後側カバー部とが一体的に回動して縦向き搬送装置を大きく外方に向けて開放させることができる。
【００１７】
本発明においては、前記閉状態の前記後部カバーの上下方向の位置を保持する上下位置保持機構が備えられていると好適である。
【００１８】
本構成によれば、後部カバーは、閉状態に切り換えられると、上下位置保持機構によって上下位置が保持される。従って、後部カバーは、上下位置が保持された状態でロック機構によりロックされるので、閉状態では、ガタツキなく良好に適正な姿勢で保持することができる。
【００１９】
本発明においては、前記上下位置保持機構に、前記後部カバー及び前記側壁のうちの一方に形成され、且つ、水平方向に沿って延びる長孔と、前記後部カバー及び前記側壁のうちの他方に位置するとともに前記長孔を挿通するピンとが備えられ、前記後部カバーの前記開状態から前記閉状態への揺動操作に伴って、前記ピンが前記長孔に挿通する状態に切り換わると好適である。
【００２０】
本構成によれば、後部カバーが開状態から閉状態へ揺動操作されると、それに伴って、後部カバー及び側壁のうちの一方に備えられた長孔に対して、他方に備えられたピンが挿通する状態に切り換わる。長孔は水平方向に沿って延びるので、揺動操作に伴うピンの係入を許容しながら、ピンが長孔に挿通すると、それらの係合により後部カバーの側壁に対する上下位置が保持される。
【００２１】
従って、機体の振動等に起因して後部カバーが上下動しようとすることがあっても、上下移動が規制されて適正位置に保持することができる。
【図面の簡単な説明】
【００２２】
【図１】コンバインの全体側面図である。
【図２】コンバインの全体平面図である。
【図３】穀粒タンクの背面図である。
【図４】穀粒タンクの斜視図である。
【図５】メンテナンス状態における穀粒タンクの斜視図である。
【図６】穀粒タンクの縦断正面図である。
【図７】穀粒タンクの横断平面図である。
【図８】開状態の後部カバーの斜視図である。
【図９】閉状態の後部カバー配設部の横断平面図である。
【図１０】開状態の後部カバー配設部の横断平面図である。
【図１１】下部カバーの側面図である。
【図１２】規制部材を備える形式の取り付け状態を示す断面図である。
【図１３】穀粒タンクの下部の縦断正面図である。
【図１４】穀粒タンクと後部カバーの姿勢切り換え状態を示す図である。
【発明を実施するための形態】
【００２３】
以下、本発明の実施の形態を自脱型のコンバインに適用した場合について図面に基づいて説明する。
【００２４】
〔全体構成〕
図１及び図２に示すように、本発明に係るコンバインは、左右一対のクローラ走行装置１によって自走する走行機体２の前部に、植立穀稈を刈り取る刈取部３が備えられている。走行機体２の前部右側に、キャビン４にて周囲が覆われた運転部５が備えられている。運転部５の後方には、刈取部３にて刈り取られた穀稈を脱穀処理する脱穀装置６と、脱穀処理にて得られた穀粒を貯留する穀粒タンク７とが、横方向に並ぶ状態で配備されている。穀粒タンク７は機体右側に位置し、脱穀装置６は機体左側に位置している。つまり、運転部５は穀粒タンク７の前方に位置している。運転部５における運転座席８の下方にエンジンＥが備えられている。走行機体２の後部であって穀粒タンク７の後方に、穀粒タンク７に貯留された穀粒を機外に排出する穀粒排出装置９が備えられている。脱穀装置６の後部には、排藁を細断処理するための排ワラ処理装置２０が備えられている。
【００２５】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００２６】
刈取部３は、刈取対象となる植立穀稈の株元を分草案内する分草具１０と、分草された植立穀稈を縦姿勢に引き起こす複数の引き起こし装置１１、引き起された植立穀稈の株元を切断するバリカン型の刈取装置１２、刈取穀稈を縦姿勢から徐々に横倒れ姿勢になるように姿勢変更しながら後方に搬送して脱穀装置６に供給する縦搬送装置１３等が備えられている。縦搬送装置１３の上方側は防塵カバー１４によって覆われている。
【００２７】
図示はしていないが、脱穀装置６は、供給された刈取穀稈の株元側を脱穀フィードチェーンによって挟持搬送しながら、穂先側を扱室にて扱き処理して脱穀処理を行う。脱穀処理された後の処理物が下方の選別部にて穀粒とワラ屑等に選別される。穀粒は、図示しない一番物搬送スクリューにより脱穀装置６の右横側外方に搬出されたのち、揚穀コンベア１５により揚送されて穀粒タンク７の内部に搬送される。穀粒タンク７は、脱穀装置６から送り込まれる穀粒を貯留する。その後、穀粒タンク７に貯留された穀粒は、穀粒排出装置９により外部に搬出される。
【００２８】
穀粒タンク７の底部には、前後向き軸芯周りで回転して貯留される穀粒を機体後部側に向けて搬送する底部スクリュー１６が備えられている。穀粒排出装置９は、底部スクリュー１６から搬出される穀粒を受け入れて、その穀粒を上方に向けて搬送する縦向き搬送装置としての縦送りスクリューコンベア１７と、その縦送りスクリューコンベア１７の上端部に連なる基端部から先端部の排出口１８まで穀粒を横方向に向けて搬送する横送りスクリューコンベア１９とが備えられている。
【００２９】
支持構成については詳述しないが、穀粒タンク７は、タンク全体が縦送りスクリューコンベア１７の回転軸芯である縦向き軸芯Ｘ周りで揺動可能に支持されている。つまり、図１４に示すように、機体内方側に収納された通常の貯留状態と、機体横側外方に張り出し揺動するメンテナンス状態とに切り換え可能に、縦向き軸芯Ｘ周りで揺動可能に支持されている。穀粒タンク７は貯留状態において図示しない位置保持機構により姿勢が保持される。
【００３０】
図２に示すように、穀粒タンク７の天井面のうちの右後部側箇所に通信ユニット２１が取り付けられている。通信ユニット２１は、例えば、ＧＰＳ衛星からの信号を受信したり、各種の作業用管理情報を別途備えられている管理サーバとの間での通信等を行う。この通信ユニット２１が取り付けられる箇所は、例えば、図１２に示すように、横送りスクリューコンベア１９が旋回操作されるときに、運転部５の近傍を通過することを回避するための規制部材２２が備えられる場合においては、通信ユニット２１と規制部材２２とを備えた取り付け板２３を同じ位置に取り付ける構成として取り付け構造を兼用する構成としている。
【００３１】
揚穀コンベア１５は、スクリューコンベア２８により穀粒を上端部近くまで揚送させたのち、上端部に設けられた送り出し羽根２４によって、穀粒を穀粒タンク７に形成された開口部２５を通してタンク内方側に向けて放出する。
【００３２】
〔穀粒タンク〕
次に、穀粒タンク７について説明する。
図５，６，７に示すように、穀粒タンク７は、前後左右夫々の側面を有する状態で周囲が囲まれて穀粒の貯留空間Ｑが形成されている。穀粒タンク７の右側面を構成する右側壁部３０のうちの一部（後述する開閉壁部３１）は、貯留空間Ｑを閉塞して穀粒の貯留を可能にする閉状態と、貯留空間Ｑを外部に開放して貯留空間Ｑへの作業者のアクセスを可能にする開状態とに切り換え可能に設けられている。
【００３３】
穀粒タンク７における右側面を除く他の側面、すなわち、前側面、後側面、左側面、上側面の夫々は、全て一連に連なるように連結された状態の壁部材によって形成され、タンク本体部３２を構成している。図７に示すように、タンク本体部３２のうち左側壁部３３には、揚穀コンベア１５を入り込ませた状態で配備するための凹入部３４が形成されている。
【００３４】
穀粒タンク７の右側壁部３０は、走行機体２の右横側外方に臨む状態で位置している。右側壁部３０は、上部から下部に亘るとともに前部から後部に亘る範囲の領域を開放可能である。すなわち、図５，７に示すように、右側壁部３０には、上部から下部に亘るとともに前部から後部に亘る範囲の領域を開放するように大きく開放される状態で開口３５が形成されている。このように大きく開放されている開口３５を開閉自在な開閉壁部３１（側板の一例）によって閉塞して、内部に貯留空間Ｑを形成するように構成されている。
【００３５】
図５に示すように、右側壁部３０は、開閉壁部３１と開口３５の周囲を囲う枠状部分３６とを備えており、枠状部分３６は、他の側面に連結されており、タンク本体部３２の一部を構成している。図８に示すように、開閉壁部３１が貯留状態に切り換えられて、後述するように開閉壁部３１と枠状部分３６とが一体的に連結されることで、右側壁部３０を構成する。
【００３６】
図５に示すように、開閉壁部３１は、穀粒タンク７の後方に位置する縦軸芯Ｙ１周りで揺動開閉可能にタンク本体部３２に支持されている。タンク本体部３２の後側壁部３８の右側端部において、上下方向に間隔をあけて２つの回動支持部３９が備えられ、この回動支持部３９により、開閉壁部３１が縦軸芯Ｙ１周りで揺動自在に支持する構成となっている。
【００３７】
次に、タンク本体部３２における強度補強のための構成について説明する。
【００３８】
図５，７に示すように、タンク本体部３２の前部と後部とに亘って機体前後方向に延びる前後向きフレーム４０が備えられている。前後向きフレーム４０は、円筒状に形成され、タンク本体部３２における前側壁部４１と後側壁部３８とに亘って延びる状態で設けられている。前後向きフレーム４０は、穀粒タンク７内部の機体右側端部の上下中間部に位置する状態で設けられている。
【００３９】
前後向きフレーム４０の前後中央部よりも前側に寄った位置、及び、前後中央部よりも後側に寄った位置の夫々において、前後向きフレーム４０と左側壁部３３に取り付けられたブラケット４４とを連結する丸棒材からなる第一補助フレーム４５が備えられている。
【００４０】
図５に示すように、開閉壁部３１が開状態にあるときに、開いた状態に保持するための開度保持具４６が備えられている。開度保持具４６は両端が曲げられた棒状の部材であって、一方の端部（支持端）が支持板４７に保持され、他方の端部（自由端）が、タンク本体部３２の枠状部分３６に取り付けられた連結具４８の穴に差し込まれる（図５の仮想線参照）。これにより開度保持具４６が、開閉壁部３１を開いた状態に保持する。開度保持具４６は使用しないときは、図５に実線で示すように、垂れさがって姿勢で図示しないクリップ部材により保持される。
【００４１】
又、開閉壁部３１が所定の角度（例えば、９０度）以上に開くことを防止するための開放防止ワイヤ５０が備えられている。開放防止ワイヤ５０は金属製の柔軟なワイヤであって、一方の端部がタンク本体部３２の連結具４８に接続され、他方の端部が開閉壁部３１に設けられたピン５３に接続されている。尚、開度保持具４６にて保持されている状態や、開閉壁部３１が閉じられた状態においては、弛んだ状態となる。
【００４２】
開度保持具４６や開放防止ワイヤ５０によって、開閉壁部３１が開状態で保持されているときに、例えば、風等によって、開閉壁部３１に対してさらに開放する方向にむけて無理な力がかかると、開度保持具４６や開放防止ワイヤ５０が連結されるタンク本体部３２の枠状部分３６が変形するおそれがある。そこで、次のような第二補助フレーム体５４が設けられている。
【００４３】
図６に示すように、第二補助フレーム体５４は、帯板にて構成され、後部側の第一補助フレーム体４５が連結される左側壁部３３側のブラケット４４と、枠状部分３６側の連結具４８とに亘って架設連結されている。この第二補助フレーム体５４により、開閉壁部３１に対してさらに開放する方向にむけて無理な力がかかる場合に、無理な力によるタンク本体３２側の変形を阻止している。
【００４４】
次に、開閉壁部３１における強度補強のための構成について説明する。
【００４５】
図６に示すように、開閉壁部３１は前後方向視で緩やかな円弧状に形成されている。開閉壁部３１のタンク内方側の上部側箇所に上部側補強部５６が備えられている。上部側補強部５６は、板材を断面略Ｕ字形に折り曲げて形成され且つ前後方向に延びる上部支持体５７が、前後方向全域にわたり開閉壁部３１の壁面に一体的に連結されて角筒状の補強部を構成している。
【００４６】
開閉壁部３１のタンク内方側の下部側箇所には、下部側補強部５９が備えられている。下部側補強部５９は、図１３に示すように、板材を略Ｕ字形に折り曲げて形成された第一補強体５９ａと、平板状の第二補強体５９ｂとを略筒状に連結して構成されている。下部側補強部５９は、前後方向全域にわたり開閉壁部３１の壁面に一体的に連結されている。
【００４７】
開閉壁部３１の後部側端部には、上下両側の回動支持部３９を介して開閉壁部３１全体を支持するための角筒状の縦向き補強部５８が備えられている。
【００４８】
開閉壁部３１のタンク内方側には、上部側補強部５６と下部側補強部５９とにわたって、上下方向に延びる複数の縦向き支持板が、前後方向に間隔をあけて複数備えられている。具体的には、図５，７に示すように、縦向き支持板として、開閉壁部３１の前部側端部に位置する第一の縦向き支持板６０、前部側端部よりも設定幅だけ後部側に寄った箇所に位置する第二の縦向き支持板６１、前後中間部に位置する第三の縦向き支持板６２の夫々が備えられている。複数の縦向き支持板６０，６１，６２は夫々、断面Ｌ字形の板体からなり、開閉壁部３１のタンク内方側の側面に一体的に連結されている。上部側補強部５６は、開閉壁部３１の前後方向の全幅にわたって設けられている。下部側補強部５９は、第二の縦向き支持板６１から後側端部にわたって設けられている。
【００４９】
次に、開閉壁部３１をタンク本体部３２に連結するための連結構造について説明する。
開閉壁部３１には、前後向きフレーム４０に係止する係止部材６３が備えられている。操作レバー６４の揺動操作により、係止部材６３が前後向きフレーム４０に引っ掛かり係止する係止状態と、係止を解除する解除状態とに切り換え操作可能に構成されている。係止部材６３は、略Ｕ字状の係止溝６５を有するフック状部材にて構成されている。
【００５０】
図５，７に示すように、操作レバー６４の揺動操作により一体回動する回動軸６６が備えられ、係止部材６３が回動軸６６に一体的に回動自在に連結されている。操作レバー６４の揺動操作に伴う回動軸６６の回動により、係止部材６３が係止状態と解除状態とに切り換わる。
【００５１】
回動軸６６は、開閉壁部３１のタンク内方側の近い位置において、開閉壁部３１の前後中間部と前部とにわたって前後方向に延びる状態で備えられている。回動軸６６は、第二の縦向き支持板６１と第三の縦向き支持板６２に形成された挿通孔（図示せず）を夫々挿通して、第二の縦向き支持板６１と第三の縦向き支持板６２とにより回動自在に支持されている。
【００５２】
回動軸６６の前側端部であって、第一の縦向き支持板６０と第二の縦向き支持板６１との間に位置する状態で操作レバー６４が備えられている。開閉壁部３１のうち、第一の縦向き支持板６０と第二の縦向き支持板６１との間における操作レバー６４が対応する位置に開口６７が形成されている。開口６７は、上下方向のスライド可能な蓋体６８（図７参照）によって覆われる状態と、開放される状態とに切り換え可能である。蓋体６８を上方にスライドすると、開口６７を通して操作レバー６４が外方に臨む状態となり、機体外部から作業者が手動操作可能な状態となる。
【００５３】
操作レバー６４が開閉壁部３１の内部に位置する縦向き姿勢に切り換えられると、係止部材６３が前後向きフレーム４０に係止して、貯留状態の開閉壁部３１の揺動側端部とタンク本体部３２とが連結される。図示はしていないが、開口６７を通して手動で操作レバー６４を外方側に引き操作して、操作レバー６４が外方に傾倒する傾斜姿勢に切り換えられると、係止部材６３が前後向きフレーム４０に対する係止が解除され、開閉壁部３１の揺動側端部とタンク本体部３２との連結が解除される。
【００５４】
この穀粒タンク７には、開閉壁部３１を貯留状態で位置保持するとともに、開閉壁部３１をタンク本体部３２側に引き寄せて隙間を無くして貯留空間の閉塞性を高めるための構成が備えられている。
以下、その構成について説明する。
【００５５】
図６，７に示すように、開閉壁部３１に、上下方向にのみ移動可能に支持されるとともに、回動軸６６の回動に伴って上下方向に移動可能に回動軸６６に連動連結された複数のロッド６９が備えられ、タンク本体部３２に複数の被係止部材としての案内保持部材７０が備えられている。
【００５６】
図１３に示すように、案内保持部材７０におけるタンク本体部３２の開口３５の内周側に対応する箇所には、内周側に向かうほど外方側に向けて傾斜する傾斜部７１が形成されている。案内保持部材７０における開口３５の外周側に対応する箇所には、傾斜部７１から一連に連なる状態で上下方向に延びる受止め保持部７２が形成されている。
【００５７】
係止部材６３が係止状態となるように、操作レバー６４が傾斜姿勢から縦向き姿勢に切り換え操作されると、それに伴って、ロッド６９が、案内保持部材７０にて摺動案内されて、開閉壁部３１をタンク本体部３２側に引き寄せるように構成されている。
【００５８】
説明を加えると、側面視で、回動軸６６の前後両端部に対応する箇所であって、且つ、開閉壁部３１の上部側箇所及び下部側箇所の夫々に、合計４本のロッド６９が上下方向にのみ移動可能に備えられている。上側に位置する２本の上側のロッド（上ロッド）６９は、上部側支持部材７３及び上部側補強部５６の夫々に形成された挿通孔を挿通する状態で設けられ、上下方向にのみ移動可能に支持されている。下側に位置する２本のロッド（下ロッド）６９は、前後方向視で略Ｕ字形に形成され且つロッド６９が挿通する挿通孔が形成された下部側支持部材７４によって、上下方向にのみ移動可能に支持されている。
【００５９】
図５，６に示すように、回動軸６６の前後両側端部に一体回動する天秤アームとしての操作体７７が連結されている。操作体７７は、長手方向の一方側端部に、リンク部材７８を介して上側の上ロッド６９が枢支連結されている。操作体７７は、長手方向の他方側端部には、リンク部材７８を介して下側の下側のロッド６９が枢支連結されている。操作レバー６４の操作に伴って回動軸６６が回動して、操作体７７とリンク部材７８を介してロッド６９が上下方向にスライド移動する。
【００６０】
操作レバー６４が縦向き姿勢に切り換えられると、操作体７７とリンク部材７８を介して、上側のロッド６９は上方に移動し、下側のロッド６９は下方に移動する。上側のロッド６９は、タンク本体部３２に備えられた上側の案内保持部材７０に摺動案内され、下側のロッド６９は、タンク本体部３２に備えられた下側の案内保持部材７０に摺動案内される。ロッド６９と案内保持部材７０との摺動案内によって、開閉壁部３１とタンク本体部３２とが相対変位して、開閉壁部３１がタンク本体部３２に近づく方向に引き寄せられる。その結果、開閉壁部３１とタンク本体部３２の開口３５の周囲の枠状部分３６とが密に接触して穀粒を貯留可能な状態となる。
【００６１】
開閉壁部３１と枠状部分３６における開口３５の周縁部との接触箇所には、シール部材８１が備えられている。特に、開口３５の周縁部のうちの下側縁部と揺動外周側の縁部には、弾性変形量が大きく密閉性を高めることが可能なゴム製のウェザーストリップにて構成されるシール部材８１（図１３参照）が備えられている。
【００６２】
上記したような構成では、操作レバー６４が外方側に傾倒させた傾斜姿勢に切り換えられると、係止部材６３が解除状態となり、それに伴って、上側のロッド６９は下方に移動して案内保持部材７０との係合が解除され、下側のロッド６９は上方に移動して案内保持部材７０との係合が解除される。その結果、開閉壁部３１を外方に揺動させて、メンテナンス状態に切り換えることができる。
【００６３】
図７に示すように、開閉壁部３１の第一の縦向き支持板６０と第二の縦向き支持板６１とで挟まれるレバー収納領域と貯留空間Ｑとは仕切られる構成となっている。貯留空間Ｑに穀粒が貯留されていても、操作レバー６４が備えられるレバー収納領域には穀粒がなく、操作を容易に行える。
【００６４】
タンク本体部３２の枠状部分３６における機体前部側の上部箇所に、開閉壁部３１が閉状態に切り換えられているか否かを検出する検出センサＳが備えられている。検出センサＳは、開閉壁部３１に備えられた被検知体８７が接触作用することで閉状態を検知する構成となっている。図示はしていないが、検出センサＳが閉状態を検知していなければ、エンジンＥの始動が牽制され、収穫作業中に閉状態が検知されなくなると、エンジンＥを停止させるように構成されている。
【００６５】
〔下部カバー〕
図１に示すように、開閉壁部３１の下方側には、穀粒タンク７の下部側の右側外方を覆う下部カバー９３が備えられている。下部カバー９３は、前端部の上下幅が後端部の上下幅よりも少し幅狭であって、下端縁は略水平姿勢であり、上端縁が後上がり傾斜姿勢になるように形成されている。この下部カバー９３は、開閉壁部３１の開操作に先だって取り外し、開閉壁部３１の閉操作が終了すると装着することができる。すなわち、図４に示すように、下部カバー９３は、前後両側部に備えられたフック状の係止部材９４が、開閉壁部３１の前後両側部に備えられた係止ピン９５に係止して位置保持することができるとともに、下部側の前後両側に設けられた周知構成の弾性係合式のロック具９６により、タンク本体部３２に設けられた係止部（図示せず）に係止してロック可能に構成されている。
【００６６】
図１１に示すように、前後の係止部材９４の上下位置は略同じ高さに設けられ、前後のロック具９６の上下位置も略同じ高さに設けられている。このように構成することで、上端縁が後上がり傾斜姿勢になるように形成された下部カバー９３であっても着脱作業が行い易くなるようにしている。
【００６７】
〔後部カバー〕
図２，３，４に示すように、穀粒タンク７の側壁としての開閉壁部３１の後部に連なる状態で、縦送りスクリューコンベア１７の横側を覆う後部カバー９７が備えられている。後部カバー９７は、縦送りスクリューコンベア１７の横側方を覆う閉状態と、縦送りスクリューコンベア１７の横側方を開放する開状態とにわたり、縦向き軸芯Ｙ２周りで揺動可能に支持されている。
【００６８】
後部カバー９７に、開閉壁部３１の後端に連なり且つ前後方向に延びる横側カバー部９７ａと、横側カバー部９７ａの後端に連なり且つ左右方向に延びる後側カバー部９７ｂとが備えられ、横側カバー部９７ａの前端が縦向き軸芯Ｙ２周りで揺動可能に開閉壁部３１に枢支連結されている。
【００６９】
縦送りスクリューコンベア１７の後方側には、後部カバー９７の後側カバー部９７ｂに連なる横向き姿勢の固定カバー９８が備えられている。この固定カバー９８は、機体フレームから固定立設された縦向きフレーム９９にネジ止め固定されている。
【００７０】
図２，８，９に示すように、後部カバー９７における横側カバー部９７ａの前端部が、開閉壁部３１の縦向き補強部５８の後側面にヒンジ１００を介して縦向き軸芯Ｙ２周りで揺動可能に支持されている。そして、図９に示すように、後部カバー９７を閉状態でロックするロック機構１０１が備えられている。ロック機構１０１は、後部カバー９７の閉状態への揺動操作に基づいて自動的にロック状態に切り換わるように構成されている。
【００７１】
ロック機構１０１に、後部カバー９７に設けられた弾性係止部材１０２と、開閉壁部３１に設けられた被係止部１０３とが備えられ、後部カバー９７が開状態から閉状態へ揺動するに伴って、弾性係止部材１０２が弾性変形しながら被係止部１０３を乗り越えて被係止部１０３に係止することで、ロック機構１０１がロック状態に切り換わるように構成されている。
【００７２】
説明を加えると、図８，９，１０に示すように、後部カバー９７には、横側カバー部９７ａの前端部から平面視で略直交する方向に延びる状態で受止め用壁部１０４が設けられている。この受止め用壁部１０４は、後部カバー９７が閉状態になると、開閉壁部３１の縦向き補強部５８の後側面に接当して位置保持するように構成されている。
【００７３】
縦向き補強部５８は、前後に間隔をあけて設けられた一対の平面視略Ｌ字形板状の縦向き部材１０５，１０６と、それら一対の縦向き部材１０５，１０６同士を連結する平面視略Ｚ字状の連結部材１０７とが一体的に連結されて角筒状に構成されている。後部側の縦向き部材１０６が前部側の縦向き部材１０５よりも幅広であり、後部側の縦向き部材１０６と連結部材１０７とが機体内方側（左側）に向けて突出する形態となっている。後部側の縦向き部材１０５と連結部材１０７とが機体内方側に向けて突出している部分により被係止部１０３が構成されている。
【００７４】
後部カバー９７の受止め用壁部１０４が、被係止部１０３よりもさらに機体内方側に向けて突出するように幅広に設けられ、この受止め用壁部１０４の被係止部１０３よりも機体内方側に向けて突出する領域のうち、上下方向に離間した２箇所において、板ばね式の弾性係止部材１０２が締結具１０８（ボルト・ナット）により取り付けられている。弾性係止部材１０２は、板ばねの一部を平面視で円弧状に曲げて形成してあり、後部カバー９７が開状態から閉状態に揺動するに伴って、弾性係止部材１０２の円弧状部分が弾性変形しながら被係止部１０３の端縁を乗り越えるように構成されている。被係止部１０３の端縁を乗り越えると、弾性係止部材１０２が被係止部１０３に係止して閉状態でロックすることができる。
【００７５】
閉状態の後部カバー９７の上下方向の位置を保持する上下位置保持機構１１０が備えられている。
図８．９．１０に示すように、後部側の縦向き部材１０６における上下方向に間隔をあけた２箇所に、後方に向けて突出するピン１１１が固定状態で取り付けられている。後部カバー９７の受止め用壁部１０４のうち、ピン１１１に対応する箇所に、横方向に長く、且つ、上下方向にはピン１１１の外径と略等しい幅狭である長孔１１２が形成されている。そして、後部カバー９７の開状態から閉状態への揺動操作に伴って、ピン１１１が長孔１１２に挿通する状態に切り換わるように構成されている。
【００７６】
又、後部カバー９７の後側カバー部９７ｂにも、ピン１１３と長孔１１４との係合により上下位置を保持する構成が備えられている。後側カバー部９７ｂにおける揺動端側箇所に前部側に向けて突出する状態で２本のピン１１３が固定状態で取り付けられている。そして、固定カバー９８に支持されている中継カバー部１１５のうち、ピン１１３に対応する箇所に、横方向に長く、且つ、上下方向にはピン１１３の外径と略等しい幅狭である長孔１１４が形成されている。後部カバー９７の開状態から閉状態への揺動操作に伴って、ピン１１３が長孔１１４に挿通する状態に切り換わるように構成されている。
【００７７】
図９に示すように、中継カバー部１１５は、固定カバー９８に一体的に設けられた軸部材１１６が挿通する横方向に長い長孔からなる挿通孔（図示せず）が形成され、軸部材１１６に外挿されたスプリング１１８により付勢される状態で固定カバー９８に支持されている。すなわち、中継カバー部１１５は、外力によって固定カバー９８に対して前方側への揺動を許容するとともに、外力がなくなると、スプリング１１８により所定姿勢で弾性的に復帰して保持される構成となっている。しかも、挿通孔の融通分だけ横方向に位置変更調節可能である。この構成により、後部カバー９７の開状態から閉状態への揺動操作に伴って、ピン１１３と長孔１１４とが係合した状態で、挿通孔１１７の範囲内で横方向へ移動させることにより、ピン１１３が長孔１１４から外れ難いように位置調整することができる。
【００７８】
上記したような構成において、収穫作業が終了したのちに、穀粒タンク７を貯留状態からメンテナンス状態に切り換えるときは、図１４に示すように、予め、後部カバー９７を開状態に切り換えておき、穀粒タンク７を貯留状態からメンテナンス状態に切り換えることにより、後部カバー９７が縦送りスクリューコンベア１７に衝突することが回避でき、良好な姿勢切り換え処理を行うことができる。
【００７９】
〔別実施形態〕
（１）上記実施形態では、上下位置保持機構１１０として、ピン１１１と長孔１１２との係合により位置保持する構成としたが、この構成に代えて、ボルトの締結により位置保持するものでもよく、上下方向に係合する係止片で構成するものでもよい。又、このような上下位置保持機構１１０を備えていない構成でもよい。
【００８０】
（２）上記実施形態では、後部カバー９７の他に、固定カバー９８を設ける構成としたが、この構成に代えて、上記実施形態における後側カバー部９７ｂを長く形成して、全体が開閉可能な構成としてもよい。
【００８１】
（３）上記実施形態では、ロック機構１０１が、後部カバー９７の閉状態への揺動操作に基づいて自動的にロック状態に切り換わる構成としたが、この構成に代えて、後部カバー９７を閉状態にしたのちに別の操作でロック状態に切り換えるものでもよい。
【００８２】
（４）上記実施形態では、穀粒タンク７の右側壁部３０が開閉可能な開閉壁部３１を備える構成としたが、このような構成に代えて、穀粒タンク７が、開閉可能な構造を備えることなく、箱状に形成された壁体によって閉じられた貯留空間に穀粒を貯留する構成としてもよい。
【産業上の利用可能性】
【００８３】
本発明は、自脱型コンバインに限らず、刈取穀稈の全稈を脱穀装置に投入する普通型コンバインにも適用できる。
【符号の説明】
【００８４】
７      穀粒タンク
１７    縦向き搬送装置
３１    側壁
９７    後部カバー
９７ａ  横側カバー部
９７ｂ  後側カバー部
１０１  ロック機構
１０２  弾性係止部材
１０３  被係止部
１１０  上下位置保持機構
１１１  ピン
１１２  長孔
【図１】
2020000075.tif 000003
【図２】
2020000075.tif 000004
【図３】
2020000075.tif 000005
【図４】
2020000075.tif 000006
【図５】
2020000075.tif 000007
【図６】
2020000075.tif 000008
【図７】
2020000075.tif 000009
【図８】
2020000075.tif 000010
【図９】
2020000075.tif 000011
【図１０】
2020000075.tif 000012
【図１１】
2020000075.tif 000013
【図１２】
2020000075.tif 000014
【図１３】
2020000075.tif 000015
【図１４】
2020000075.tif 000016